(57)【要約】【課題】表示装置において、簡単な構成で送風ファンの動作を制御することで装置内を効率良く空冷することができる表示装置を提供する。【解決手段】複数の送風ファン（１３）を備える表示装置（１）において、送風ファン（１３）の運転を制御する制御部（１８）と、送風ファン（１３）の設置向きを変更する送風ファン設置位置変更部（１５）とを備え、制御部（１８）は、表示装置（１）の設置状態に応じて、送風ファン（１３）の送風方向を設定する風向設定機能（１８１）と、風向設定機能（１８１）により設定された結果に基づいて送風ファン設置位置変更部（１５）により送風ファン（１３）の設置向きを変更して送風方向を切換える風向切換機能（１８２）を備えることを特徴とするものである。【選択図】図１
2015138461.tif 000002
【特許請求の範囲】
【請求項１】
装置内に複数の送風ファンを備える表示装置において、
前記送風ファンの運転を制御する制御部と、前記送風ファンの設置向きを変更する送風ファン設置位置変更部とを備え、
前記制御部は、前記表示装置の設置状態に応じて、前記送風ファンの送風方向を設定する風向設定機能と、前記風向設定機能により設定された結果に基づいて前記送風ファン設置位置変更部により前記送風ファンの設置向きを変更して送風方向を切換える風向切換機能とを備えることを特徴とする表示装置。
【請求項２】
前記制御部は、前記表示装置の設置状態に応じて、前記複数の送風ファンのうちから駆動する送風ファンを特定して運転させる駆動ファン運転制御機能を備えることを特徴とする請求項１に記載の表示装置。
【請求項３】
前記送風ファン設置位置変更部は、手動にて動作可能に構成されていることを特徴とする請求項１または２に記載の表示装置。
【請求項４】
前記送風ファン設置位置変更部は、前記送風ファンの設置向きを示す送風ファン設置方向指示部を備えることを特徴とする請求項１から３のうちの何れか一項に記載の表示装置。
【請求項５】
前記送風ファン設置位置変更部は、前記送風ファンを回転可能に支持する回転部材を備え、
前記送風ファンは、前記回転部材の回転中心から外れた位置に配置されることを特徴とする請求項１から４のうちの何れか一項に記載の表示装置。
【請求項６】
前記回転部材の回転位置を検知する回転位置検知手段を備え、
前記回転位置検知手段により前記送風ファンの向きを検出することを特徴とする請求項５に記載の表示装置。
【請求項７】
前記送風ファンの回転動作を規制する回転規制部材を備え、
前記回転規制部材は、前記送風ファンが装置内に吸気する方向に向かないように設けられることを特徴とする請求項５または６に記載の表示装置。
【請求項８】
前記制御部は、前記表示装置の設置状態によって、装置内に吸気するように作用する送風ファンの運転を停止する機能を備えることを特徴とする請求項１から７のうちの何れか一項に記載の表示装置。
【請求項９】
前記制御部は、特定の送風ファンの運転を停止する場合は、特定の送風ファンの運転を停止する旨を報知する機能を備えることを特徴とする請求項８に記載の表示装置。
【請求項１０】
前記制御部は、
前記送風ファン設置位置変更部により送風ファンの設置位置を通常状態から変更する場合は、前記送風ファンの回転数を上げるように制御する機能と、
特定の送風ファンの運転を停止する場合は、その他の送風ファンの回転数を上げるように制御する機能と、
を備えることを特徴とする１から９のうちの何れか一項に記載の表示装置。
【発明の詳細な説明】
【技術分野】
【０００１】
本発明は、表示装置に係り、特に、装置内に複数の送風ファンを備える表示装置に関する。
【背景技術】
【０００２】
近年、大型のディスプレイ（表示装置）を用いる表示システムが知られている。この表示システムは、会議やプレゼンテーション等を行う際に多く利用される。
従来、複数の表示装置を映像配信装置に接続して大画面のディスプレイを構成するものが知られている。
【０００３】
通常、ディスプレイの装置内部においては、発熱体となるＣＰＵ等の電子部品を冷却するために自然対流により空冷するとともに、送風ファンにより装置内に対流を生じさせて強制空冷を行うようにしている。
【０００４】
電子機器を冷却する従来の技術としては、例えば、パーソナルコンピュータ等の電子機器において、装置の設置姿勢に応じて送風ファンの取り付け向きを変えることにより、送風方向を変えることで装置内部を効率良く冷却するようにした技術が開示されている（特許文献１を参照）。
【０００５】
また、ディスプレイを備える表示装置において、ディスプレイを縦置に配置するか、横置きに配置するかによって、駆動する送風ファンを切換えて送風することで、装置内部を効率良く冷却するようにした技術が開示されている（特許文献２を参照）。
【先行技術文献】
【特許文献】
【０００６】
【特許文献１】特開２００５−１９０３１６号公報
【特許文献２】特開２０１１−２５３０５７号公報
【発明の概要】
【発明が解決しようとする課題】
【０００７】
しかしながら、上述した従来技術では、ディスプレイを複数連結して大型ディスプレイとして使用する場合の排熱処理についての記載はなく、また、複数のディスプレイが連結されることからディスプレイの位置によって排熱方向が変わるため、連結されたディスプレイの内部の発熱体を効率良く冷却することは難しいという問題があった。
【０００８】
本発明は、上記従来の問題に鑑みてなされたものであって、表示装置において、簡単な構成で送風ファンの動作を制御することで装置内を効率良く空冷することができる表示装置を提供することを目的とする。
【課題を解決するための手段】
【０００９】
上述した課題を解決するための本発明に係る表示装置は、次の通りである。
【００１０】
本発明は、装置内に複数の送風ファンを備える表示装置において、前記送風ファンの運転を制御する制御部と、前記送風ファンの設置向き（送風方向）を変更する送風ファン設置位置変更部とを備え、前記制御部の構成として、前記表示装置の設置状態に応じて、前記送風ファンの送風方向を設定する風向設定機能と、前記風向設定機能により設定された結果に基づいて前記送風ファン設置位置変更部により前記送風ファンの設置向きを変更して送風方向を切換える風向切換機能と、を備えることを特徴とするものである。
【００１１】
また、本発明は、前記制御部の構成として、前記表示装置の設置状態に応じて、前記複数の送風ファンのうちから駆動する送風ファンを特定して運転させる駆動ファン運転制御機能を備えることが好ましい。
【００１２】
また、本発明は、前記送風ファン設置位置変更部を手動にて動作可能に構成することが好ましい。
【００１３】
また、本発明は、前記送風ファンの設置向きを示す送風ファン設置方向指示部を備えることが好ましい。
【００１４】
また、本発明は、前記送風ファン設置位置変更部の構成として、前記送風ファンを回転可能に支持する回転部材を備え、前記送風ファンを、前記回転部材の回転中心から外れた位置に配置することが好ましい。
【００１５】
また、本発明は、前記回転部材の回転位置を検知する回転位置検知手段を備え、前記回転位置検知手段により前記送風ファンの向きを検出（判定）することが好ましい。
【００１６】
また、本発明は、前記送風ファンの回転動作を規制する回転規制部材（ストッパー）を備え、前記回転規制部材を、前記送風ファンが装置内に吸気する方向に向かないように設けることが好ましい。
【００１７】
また、本発明は、前記制御部の構成として、前記表示装置の設置状態によって、装置内に吸気するように作用する送風ファンの運転を停止する機能を備えることが好ましい。
【００１８】
また、本発明は、前記制御部の構成として、特定の送風ファンの運転を停止する場合は、特定の送風ファンの運転を停止する旨を報知する（例えば、表示部にメッセージを表示したり、警告灯を点灯したりする等）機能を備えることが好ましい。
【００１９】
また、本発明は、前記制御部の構成として、前記送風ファン設置位置変更部により送風ファンの設置位置を通常状態から変更する場合は、前記送風ファンの回転数を上げるように制御する機能と、特定の送風ファンの運転を停止する場合は、その他の送風ファンの回転数を上げるように制御する機能と、を備えることが好ましい。
【発明の効果】
【００２０】
本発明の表示装置によれば、装置内に複数の送風ファンを備える表示装置において、前記送風ファンの運転を制御する制御部と、前記送風ファンの設置向きを変更する送風ファン設置位置変更部とを備え、前記制御部の構成として、前記表示装置の設置状態に応じて、前記送風ファンの送風方向を設定する風向設定機能と、前記風向設定機能により設定された結果に基づいて前記送風ファン設置位置変更部により前記送風ファンの設置向きを変更して送風方向を切換える風向切換機能とを備えることで、複数の送風ファンを最適な方向に向けて効率良く表示装置内部の排熱を行うことができる。これにより、送風ファンの数量を削減したり、送風ファンのスペックを落としたり、周辺部品の耐熱スペックを落とす等の効果を奏する表示装置を提供することができる。
【図面の簡単な説明】
【００２１】
【図１】本発明の第１実施形態に係る表示装置の概略の構成を示す説明図である。
【図２】前記表示装置を構成する送風ファンと送風ファン設置位置変更部の構成を示す説明図である。
【図３】前記送風ファンの設置向きを示す送風ファン設置方向指示部の一例を示す説明図である。
【図４】前記送風ファンが設けられる回転部材の構成を示す説明図である。
【図５】前記回転部材の位置を検出する回転位置センサの配置位置を示す説明図である。
【図６】前記回転位置センサにより送風ファンが左向きに配置されたことを検知する状態を示す説明図である。
【図７】前記回転位置センサにより送風ファンが右向きに配置されたことを検知する状態を示す説明図である。
【図８】前記回転部材により位置決めされた送風ファンと送風状態を示す説明図である。
【図９】前記表示装置の送風ファンの運転を制御する電気的構成を示すブロック図である。
【図１０】前記表示装置が横置きで正常に設置された時の送風ファンの配置の概略構成を示す説明図である。
【図１１】前記表示装置の上側に障害物がある場合の送風ファンの配置の概略構成を示す説明図である。
【図１２】前記表示装置の上側と右側に障害物がある場合の送風ファンの配置の概略構成を示す説明図である。
【図１３】前記表示装置の上側と左側に障害物がある場合の送風ファンの配置の概略構成を示す説明図である。
【図１４】前記表示装置の設置状態に対応して送風ファンの配置パターンを設定するテーブルを示す説明図である。
【図１５】本発明の第２実施形態に係る表示装置が上下に２台連結されて正常に設置された時の送風ファンの配置の概略構成を示す説明図である。
【図１６】２台上下に連結された表示装置の上側に障害物がある場合の送風ファンの配置の概略構成を示す説明図である。
【図１７】２台上下に連結された表示装置の右側に障害物がある場合の送風ファンの配置の概略構成を示す説明図である。
【図１８】２台上下に連結された表示装置の左側に障害物がある場合の送風ファンの配置の概略構成を示す説明図である。
【図１９】前記表示装置の設置状態に対応して送風ファンの配置パターンを設定するテーブルを示す説明図である。
【図２０】本発明の第３実施形態に係る表示装置が上下左右に横置きで４台連結されて正常に設置された時の送風ファンの配置の概略構成を示す説明図である。
【図２１】上下左右に横置きで４台連結された表示装置の上側に障害物がある場合の送風ファンの配置の概略構成を示す説明図である。
【図２２】上下左右に横置きで４台連結された表示装置の右側に障害物がある場合の送風ファンの配置の概略構成を示す説明図である。
【図２３】上下左右に横置きで４台連結された表示装置の左側に障害物がある場合の送風ファンの配置の概略構成を示す説明図である。
【図２４】前記表示装置の設置状態に対応して送風ファンの配置パターンを設定するテーブルを示す説明図である。
【図２５】本発明の第４実施形態に係る表示装置が上下左右に横置きで９台連結されて正常に設置された時の送風ファンの配置の概略構成を示す説明図である。
【図２６】上下左右に横置きで９台連結された表示装置の上側に障害物がある場合の送風ファンの配置の概略構成を示す説明図である。
【図２７】上下左右に横置きで９台連結された表示装置の右側に障害物がある場合の送風ファンの配置の概略構成を示す説明図である。
【図２８】上下左右に横置きで９台連結された表示装置の左側に障害物がある場合の送風ファンの配置の概略構成を示す説明図である。
【図２９】前記表示装置の設置状態に対応して送風ファンの配置パターンを設定するテーブルを示す説明図である。
【図３０】本発明の第５実施形態に係る表示装置が縦置きで正常に設置された時の送風ファンの配置の概略構成を示す説明図である。
【図３１】前記表示装置の上側に障害物がある場合の送風ファンの配置の概略構成を示す説明図である。
【図３２】前記表示装置の右側に障害物がある場合の送風ファンの配置の概略構成を示す説明図である。
【図３３】表示装置の左側に障害物がある場合の送風ファンの配置の概略構成を示す説明図である。
【図３４】前記表示装置の設置状態に対応して送風ファンの配置パターンを設定するテーブルを示す説明図である。
【図３５】本発明の第６実施形態に係る表示装置が縦置きで横並びに２台連結されて正常に設置された時の送風ファンの配置の概略構成を示す説明図である。
【図３６】縦置きで横並びに２台連結された表示装置の上側に障害物がある場合の送風ファンの配置の概略構成を示す説明図である。
【図３７】縦置きで横並びに２台連結された表示装置の右側に障害物がある場合の送風ファンの配置の概略構成を示す説明図である。
【図３８】縦置きで横並びに２台連結された表示装置の左側に障害物がある場合の送風ファンの配置の概略構成を示す説明図である。
【図３９】前記表示装置の設置状態に対応して送風ファンの配置パターンを設定するテーブルを示す説明図である。
【図４０】本発明の第７実施形態に係る表示装置が上下左右に縦置きで４台連結されて正常に設置された時の送風ファンの配置の概略構成を示す説明図である。
【図４１】上下左右に縦置きで４台連結された表示装置の上側に障害物がある場合の送風ファンの配置の概略構成を示す説明図である。
【図４２】上下左右に縦置きで４台連結された表示装置の右側に障害物がある場合の送風ファンの配置の概略構成を示す説明図である。
【図４３】上下左右に縦置きで４台連結された表示装置の左側に障害物がある場合の送風ファンの配置の概略構成を示す説明図である。
【図４４】前記表示装置の設置状態に対応して送風ファンの配置パターンを設定するテーブルを示す説明図である。
【図４５】本発明の第８実施形態に係る表示装置が上下左右に縦置きで９台連結されて正常に設置された時の送風ファンの配置の概略構成を示す説明図である。
【図４６】上下左右に縦置きで９台連結された表示装置の上側に障害物がある場合の送風ファンの配置の概略構成を示す説明図である。
【図４７】上下左右に縦置きで９台連結された表示装置の右側に障害物がある場合の送風ファンの配置の概略構成を示す説明図である。
【図４８】上下左右に縦置きで９台連結された表示装置の左側に障害物がある場合の送風ファンの配置の概略構成を示す説明図である。
【図４９】前記表示装置の設置状態に対応して送風ファンの配置パターンを設定するテーブルを示す説明図である。
【図５０】（ａ）本発明に係る表示装置における送風ファンの運転を制御する一例を示す説明図、（ｂ）対向する送風ファンの運転を停止した状態を示す説明図、（ｃ）対向する送風ファンの一方を停止した状態を示す説明図である。
【発明を実施するための形態】
【００２２】
（第１実施形態）
以下、本発明の表示装置を実施するための形態について図面を参照して説明する。
図１は発明を実施する形態の一例であって、本発明の第１実施形態に係る表示装置の概略の構成を示す説明図、図２は前記表示装置を構成する送風ファンと送風ファン設置位置変更部の構成を示す説明図、図３は前記送風ファンの設置向きを示す送風ファン設置方向指示部の一例を示す説明図、図４は前記送風ファンが設けられる回転部材の構成を示す説明図、図５は前記回転部材の位置を検出する回転位置センサの配置位置を示す説明図、
図６は前記回転位置センサにより送風ファンが左向きに配置されたことを検知する状態を示す説明図、図７は前記回転位置センサにより送風ファンが右向きに配置されたことを検知する状態を示す説明図、図８は前記回転部材により位置決めされた送風ファンと送風状態を示す説明図である。
【００２３】
第１実施形態に係る表示装置１は、図１に示すように、表示部１１と、表示部１１が取付けられる筐体１２の内部に複数の送風ファン１３を備える表示装置１において、本発明に係る表示装置の特徴的な構成を採用したものである。
【００２４】
複数の送風ファン１３は、筐体１２の上側寄りに幅方向（図１中の左右方向）に沿って所定の間隔で並設されている。そして、複数の送風ファン１３は、通常は上側に向かい送風するようにされている。
なお、送風ファン１３の数量は、表示装置１のサイズによって異なる。
【００２５】
筐体１２の上側部１２ａ、下側部１２ｂ、右側部１２ｃ、左側部１２ｄには、図示しない通気口が形成されている。
【００２６】
以下に、第１実施形態に係る表示装置１の特徴的な構成について図面を参照して説明する。
【００２７】
表示装置１は、図２に示すように、送風ファン１３の設置向きを変更する送風ファン設置位置変更部１５を備えている。
【００２８】
送風ファン設置位置変更部１５は、送風ファン１３が設置される回転板１５１と、回転板１５１を回転させる駆動モータ１５２と、送風ファン１３の設置向きを示す送風ファン設置方向指示部１５３を備えている。
【００２９】
駆動モータ１５２は、筐体１２の内側面１２ｅに取付けられている。
回転板１５１は、駆動モータ１５２により回転可能に設けられている。すなわち、送風ファン１３は回転板１５１とともに回転可能に設けられている。第１実施形態では、回転板１５１は、手動でも回転可能に構成されている。
【００３０】
送風ファン設置方向指示部１５３は、図３に示すように、円盤状に形成され、その回転中心が回転板１５１の回転中心と同軸上になるように、送風ファン１３の上部に送風ファン１３と一体的に設けられている。そして、図２に示すように、筐体１２の裏側より目視で確認できるように裏側面１２ｆから露出して設けられている。
【００３１】
送風ファン設置方向指示部１５３の表面には、図３に示すように、操作溝１５３ａと、目印１５３ｂが形成されている。操作溝１５３ａは、送風ファン１３の送風方向に沿って形成され、溝部にコイン等の端部を差し込んで回転操作を可能にしている。目印１５３ｂは、操作溝１５３ａの端部付近で送風ファン１３の送風方向が分かるように形成されている。
【００３２】
これにより、サービスマンやユーザが目印１５３ｂを見ながら手動で送風ファン１３の向きを切換えることができる。
【００３３】
筐体１２の裏側面１２ｆには、送風ファン設置方向指示部１５３の目印１５３ｂが移動する位置に対応して位置決め印１２ｇ１，１２ｇ２，１２ｇ３が設けられている。
第１実施形態では、位置決め印１２ｇ１は上向き、位置決め印１２ｇ２は右向き、位置決め印１２ｇ３は左向きを示している。
【００３４】
なお、送風ファン設置方向指示部１５３の目印１５３ｂが位置決め印１２ｇ２または位置決め印１２ｇ３よりも下側になるように送風ファン設置方向指示部１５３を回転させると、送風ファン１３の送風向きが排気の向きにならずに吸気の向きになってしまうため、送風ファン設置方向指示部１５３が吸気の向きならないようにストッパ（図示省略）が設けられている。
【００３５】
回転板１５１には、図４に示すように、回転中心１５１ｐから外れた位置に送風ファン１３が取付けられている。そして、回転板１５１の外周部には、配置された送風ファン１３の幅方向の両端部付近を検出する検出部１５１ａ，１５１ｂが切り欠き形成されている。
【００３６】
検出部１５１ａ，１５１ｂは、送風ファン１３を挟んでそれぞれ回転角θが４５°で左右対称の位置に形成されている。
【００３７】
回転板１５１の付近には、図５に示すように、回転板１５１の検出部１５１ａ，１５１ｂを検出する回転位置検知センサ１６ａ，１６ｂが配置されている。回転位置検知センサ１６ａ，１６ｂは、透過型センサである。
【００３８】
第１実施形態では、図５に示すように、送風ファン１３が上方に送風するように配置された位置を所定の位置として、回転位置検知センサ１６ａ，１６ｂは、所定の位置で回転板１５１の検出部１５１ａ，１５１ｂとそれぞれ対向する位置に配置されている。このとき、回転位置検知センサ１６ａ，１６ｂはそれぞれＯＮ状態となる。
【００３９】
ここで、回転位置検知センサ１６ａ，１６ｂによる回転板１５１の位置検出について図面を参照して説明する。
【００４０】
図５は、送風ファン１３が上方に送風する位置に配置された状態である。
このとき、回転位置検知センサ１６ａ，１６ｂは、それぞれ回転板１５１の検出部１５１ａ，１５１ｂと対向する位置となる。回転位置検知センサ１６ａは検出部１５１ａを検出し、回転位置検知センサ１６ｂは検出部１５１ｂを検出する。
このとき、回転位置検知センサ１６ａ，１６ｂはそれぞれＯＮ状態となる。
【００４１】
図６は、送風ファン１３が左方向に送風する位置に配置された状態である。
このとき、回転位置検知センサ１６ａは，回転板１５１の検出部１５１ｂと対向する位置となる。回転位置検知センサ１６ａは検出部１５１ｂを検出する。
このとき、回転位置検知センサ１６ａはＯＮ状態となり、回転位置検知センサ１６ｂはＯＦＦ状態である。
【００４２】
図７は、送風ファン１３が右方向に送風する位置に配置された状態である。
このとき、回転位置検知センサ１６ｂは，回転板１５１の検出部１５１ａと対向する位置となる。回転位置検知センサ１６ａは検出部１５１ｂを検出する。
このとき、回転位置検知センサ１６ｂはＯＮ状態となり、回転位置検知センサ１６ａはＯＦＦ状態である。
【００４３】
このようにして、回転位置検知センサ１６ａ，１６ｂのＯＮ／ＯＦＦ状態によって、回転板１５１の回転位置、すなわち、送風ファン１３の送風方向を判定することができる。
【００４４】
第１実施形態では、送風ファン１３は、図８に示すように、回転板１５１の回転中心１５１ｐから外れた位置に取付けられているので、隣接する送風ファン１３の送風する向きが違っていても、送風が隣接する送風ファン１３に当る影響を少なくしてスムーズな気流Ｓを生じさせることができる。
【００４５】
次に、第１実施形態の表示装置１の特徴的な構成についてブロック図を参照して説明する。
図９は本発明の第１実施形態に係る表示装置の送風ファンの運転を制御する電気的構成を示すブロック図である。
【００４６】
第１実施形態の表示装置１は、図９に示すように、送風ファン１３の運転を制御する制御部１８を備えている。
【００４７】
制御部１８は、駆動モータ１５２の運転を制御するとともに、表示部の動作を制御するように構成されている。
【００４８】
制御部１８は、送風ファン１３に関する特徴的な機能として、送風ファン１３の送風方向を設定する風向設定機能１８１と、送風ファン１３の送風方向を切換える風向切換機能１８２と、駆動する送風ファン１３を特定して運転させる駆動ファン運転制御機能１８３と、特定の送風ファンの運転を停止する特定ファン停止機能１８４と、特定の送風ファンの運転を停止する旨を報知するファン停止報知機能１８５を備えている。
【００４９】
風向設定機能１８１は、表示装置１の設置状態に応じて、送風ファン１３の送風方向を設定する機能である。
【００５０】
風向切換機能１８２は、風向設定機能１８１により設定された結果に基づいて送風ファン設置位置変更部１５により送風ファン１３の設置向きを変更して送風方向を切換える機能である。
【００５１】
駆動ファン運転制御機能１８３は、表示装置１の設置状態に応じて、複数の送風ファン１３のうちから駆動する送風ファンを特定して運転させる機能である。
【００５２】
特定ファン停止機能１８４は、表示装置１の設置状態によって、装置内に吸気するように作用する送風ファンの運転を停止する機能である。
【００５３】
ファン停止報知機能１８５は、特定の送風ファンの運転を停止する場合は、特定の送風ファンの運転を停止する旨を報知する機能である。第１実施形態では、特定の送風ファンの運転を停止する場合は、特定の送風ファンの運転を停止する旨のメッセージを表示部１１に表示するようにしている。
【００５４】
次に、第１実施形態の表示装置１において、表示装置を横置きに使用して、複数の送風ファンの風向を設定する場合の送風ファンの配置の基本的パターンの例を示す。
図１０は第１実施形態の表示装置が横置きで正常に設置された時の送風ファンの配置の概略構成を示す説明図、図１１は前記表示装置の上側に障害物がある場合の送風ファンの配置の概略構成を示す説明図、図１２は前記表示装置の上側と右側に障害物がある場合の送風ファンの配置の概略構成を示す説明図、図１３は前記表示装置の上側と左側に障害物がある場合の送風ファンの配置の概略構成を示す説明図、図１４は前記表示装置の設置状態に対応して送風ファンの配置パターンを設定するテーブルを示す説明図である。
【００５５】
表示装置１において、横置きに配置した場合は、複数の送風ファン１３ａ，１３ｂ，１３ｃ，１３ｄは、図１０に示すように、筐体１２の上側寄りに幅方向（図１中の左右方向）に沿って所定の間隔で並設されている。
【００５６】
表示装置１を周囲に何の障害物も無い位置に正常に配置した場合は、送風ファン１３ａ，１３ｂ，１３ｃ，１３ｄは、送風方向が上側になる向きに設置される。
図１０に示す送風ファンの配置パターンを「Ａタイプ」と称し、図中には（Ａ）と付するものとする。
【００５７】
次に、表示装置１の上側に障害物がある場合は、図１１に示すように、左側寄りの送風ファン１３ａ，１３ｂは送風方向が左側になる向きに配置され、右側寄りの送風ファン１３ｃ，１３ｄは送風方向が右側になる向きに配置される。
図１１に示す送風ファンの配置パターンを「Ｂタイプ」と称し、図中には（Ｂ）と付するものとする。
【００５８】
次に、表示装置１の上側と右側に障害物がある場合は、図１２に示すように、右側寄りの送風ファン１３ｄは送風方向が上側になる向きに配置され、その他の送風ファン１３ａ，１３ｂ，１３ｃは送風方向が左側になる向きに配置される。
図１２に示す送風ファンの配置パターンを「Ｃタイプ」と称し、図中には（Ｃ）と付するものとする。
【００５９】
次に、表示装置１の上側と左側に障害物がある場合は、図１３に示すように、左側寄りの送風ファン１３ａは送風方向が上側になる向きに配置され、その他の送風ファン１３ｂ，１３ｃ，１３ｄは送風方向が右側になる向きに配置される。
図１３に示す送風ファンの配置パターンを「Ｄタイプ」と称し、図中には（Ｄ）と付するものとする。
【００６０】
このように、第１実施形態では、表示装置１を横置きに配置した場合の送風ファン１３ａ，１３ｂ，１３ｃの配置パターンは、障害物の位置に対応して「Ａタイプ」、「Ｂタイプ」、「Ｃタイプ」、「Ｄタイプ」の４パターンに設定されている。
【００６１】
表示装置１においては、制御部１８の風向設定機能１８１により、設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【００６２】
風向設定機能１８１として、表示装置１の設置状態に応じた送風ファン１３ａ，１３ｂ，１３ｃ，１３ｄの配置パターンを、図１４に示すテーブルを用いて特定するようにしてもよい。
【００６３】
制御部１８において、風向設定機能１８１によって送風ファン１３ａ，１３ｂ，１３ｃ，１３ｄは、配置パターンに応じてそれぞれ送風方向が設定される。
【００６４】
そして、送風ファン１３ａ，１３ｂ，１３ｃ，１３ｄは、風向設定機能１８１で設定された結果に基づいて風向切換機能１８２により所定方向に向くように制御される。
【００６５】
そして、送風ファン１３ａ，１３ｂ，１３ｃ，１３ｄは、それぞれ送風ファン設置位置変更部１５により所定方向に向けて設置される。
【００６６】
以上のように構成したので、第１実施形態によれば、表示装置１を単体で横置きで設置する場合は、表示装置１の設置状態に応じて、送風ファンの設置パターンを「Ａタイプ」、「Ｂタイプ」、「Ｃタイプ」、「Ｄタイプ」の４パターンより設定して、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置１の設置状態に応じて、自動的に送風ファン１３ａ，１３ｂ，１３ｃ，１３ｄの送風方向を最適な向きに設定することができる。
このようにして、簡単な構成で送風ファン１３ａ，１３ｂ，１３ｃ，１３ｄの動作を制御することで装置内を効率良く空冷することができる。
【００６７】
（第２実施形態）
次に、本発明の第２実施形態について図面を参照して説明する。
図１５は本発明の第２実施形態に係る表示装置が上下に２台連結されて正常に設置された時の送風ファンの配置の概略構成を示す説明図、図１６は２台上下に連結された表示装置の上側に障害物がある場合の送風ファンの配置の概略構成を示す説明図、図１７は２台上下に連結された表示装置の右側に障害物がある場合の送風ファンの配置の概略構成を示す説明図、図１８は２台上下に連結された表示装置の左側に障害物がある場合の送風ファンの配置の概略構成を示す説明図、図１９は前記表示装置の設置状態に対応して送風ファンの配置パターンを設定するテーブルを示す説明図である。
【００６８】
第２実施形態に係る表示装置２００は、図１５に示すように、横置きにした２台の表示装置２０１，２０２を上下に連結したものである。
【００６９】
なお、第２実施形態の表示装置２００に用いられる表示装置２０１，２０２の構成は、第１実施形態の表示装置１と同様な構成を備えるものとして、第１実施形態と同一の構成を有するものは同一の符号を付することで説明を省略する。
【００７０】
表示装置が連結される構成では、送風ファンによる排気は、隣接する表示装置に送気されないようにすることが好ましい。また、上段に配置される表示装置は、上方への排気を優先するように構成し、下段に配置される表示装置は、横方向への排気を優先するように構成することが好ましい。
【００７１】
表示装置２００を周囲に何の障害物も無い位置に正常に配置した場合は、図１５に示すように、上部に配置される表示装置２０１は、表示装置１のＡタイプと同様に構成される。また、下部に配置される表示装置２０２は、表示装置１のＢタイプと同様に構成される。
【００７２】
次に、表示装置２００の上側に障害物がある場合は、図１６に示すように、上部に配置される表示装置２０１および下部に配置される表示装置２０２は、表示装置１のＢタイプと同様に構成される。
【００７３】
次に、表示装置２００の右側に障害物がある場合は、図１７に示すように、上部に配置される表示装置２０１は、表示装置１のＡタイプと同様に構成される。また、下部に配置される表示装置２０２は、表示装置１のＣタイプと同様に構成される。
【００７４】
次に、表示装置２００の左側に障害物がある場合は、図１８に示すように、上部に配置される表示装置２０１は、表示装置１のＡタイプと同様に構成される。また、下部に配置される表示装置２０２は、表示装置１のＤタイプと同様に構成される。
【００７５】
このように、第２実施形態の表示装置２００を構成する表示装置２０１，２０２は、障害物の位置に対応して、第１実施形態における表示装置１の「Ａタイプ」、「Ｂタイプ」、「Ｃタイプ」、「Ｄタイプ」の４パターンの中から送風ファン１３ａ，１３ｂ，１３ｃ，１３ｄの最適な配置パターンが特定される。
【００７６】
すなわち、表示装置２０１，２０２においては、制御部１８の風向設定機能１８１により、それぞれの設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【００７７】
風向設定機能１８１として、表示装置２０１，２０２の設置状態に応じた送風ファン１３ａ，１３ｂ，１３ｃ，１３ｄの配置パターンを、図１９に示すテーブルを用いて特定するようにしてもよい。
【００７８】
以上のように構成したので、第２実施形態によれば、表示装置２００を構成する表示装置２０１，２０２を、表示装置２００が設置される際の障害物の位置に対応して、第１実施形態における表示装置１の「Ａタイプ」、「Ｂタイプ」、「Ｃタイプ」、「Ｄタイプ」の４パターンを組み合わせて構成することができるので、表示装置２００の設置状態に応じて、表示装置２０１，２０２において、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置２００の設置状態に応じて、表示装置２０１，２０２における送風ファン１３ａ，１３ｂ，１３ｃ，１３ｄの送風方向を最適な向きに自動的に設定することができる。
このようにして、簡単な構成で送風ファン１３ａ，１３ｂ，１３ｃ，１３ｄの動作を制御することで装置内を効率良く空冷することができる。
【００７９】
（第３実施形態）
次に、本発明の第３実施形態について図面を参照して説明する。
図２０は本発明の第３実施形態に係る表示装置が上下左右に横置きで４台連結されて正常に設置された時の送風ファンの配置の概略構成を示す説明図、図２１は上下左右に横置きで４台連結された表示装置の上側に障害物がある場合の送風ファンの配置の概略構成を示す説明図、図２２は上下左右に横置きで４台連結された表示装置の右側に障害物がある場合の送風ファンの配置の概略構成を示す説明図、図２３は上下左右に横置きで４台連結された表示装置の左側に障害物がある場合の送風ファンの配置の概略構成を示す説明図、図２４は前記表示装置の設置状態に対応して送風ファンの配置パターンを設定するテーブルを示す説明図である。
【００８０】
第３実施形態に係る表示装置３００は、図２０に示すように、横置きにした４台の表示装置３０１，３０２，３０３，３０４を上下左右に連結したものである。
【００８１】
なお、第３実施形態の表示装置３００に用いられる表示装置３０１，３０２，３０３，３０４の構成は、第１実施形態の表示装置１と同様な構成を備えるものとして、第１実施形態と同一の構成を有するものは同一の符号を付することで説明を省略する。
【００８２】
表示装置が連結される構成では、送風ファンによる排気は、隣接する表示装置に送気されないようにすることが好ましい。また、上段に配置される表示装置は、上方への排気を優先するように構成し、下段に配置される表示装置は、横方向への排気を優先するように構成することが好ましい。
【００８３】
表示装置３００を周囲に何の障害物も無い位置に正常に配置した場合は、図２０に示すように、上部に配置される表示装置３０１，３０２は、表示装置１のＡタイプと同様に構成される。また、下部に配置される表示装置のうち表示装置３０３は、表示装置１のＣタイプと同様に構成され、表示装置３０４は、表示装置１のＤタイプと同様に構成される。
【００８４】
次に、表示装置３００の上側に障害物がある場合は、図２１に示すように、上部に配置される表示装置のうち表示装置３０１は、表示装置１のＣタイプと同様に構成され、表示装置３０２は表示装置１のＤタイプと同様に構成される。また、下部に配置される表示装置のうち表示装置３０３は、表示装置１のＣタイプと同様に構成され、表示装置３０４は、表示装置１でＤタイプと同様に構成される。
【００８５】
次に、表示装置３００の右側に障害物がある場合は、図２２に示すように、上部に配置される表示装置３０１，３０２は、表示装置１のＡタイプと同様に構成される。また、下部に配置される表示装置３０３，３０４は、表示装置１のＣタイプと同様に構成される。
【００８６】
次に、表示装置３００の左側に障害物がある場合は、図２３に示すように、上部に配置される表示装置３０１，３０２は、表示装置１のＡタイプと同様に構成される。また、下部に配置される表示装置３０３，３０４は、表示装置１のＤタイプと同様に構成される。
【００８７】
このように、第３実施形態の表示装置３００を構成する表示装置３０１，３０２，３０３，３０４は、障害物の位置に対応して、第１実施形態における表示装置１の「Ａタイプ」、「Ｂタイプ」、「Ｃタイプ」、「Ｄタイプ」の４パターンの中から送風ファン１３ａ，１３ｂ，１３ｃ，１３ｄの最適な配置パターンが特定される。
【００８８】
すなわち、表示装置３０１，３０２，３０３，３０４においては、制御部１８の風向設定機能１８１により、設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【００８９】
風向設定機能１８１として、表示装置３０１，３０２，３０３，３０４の設置状態に応じた送風ファン１３ａ，１３ｂ，１３ｃ，１３ｄの配置パターンを、図２４に示すテーブルを用いて特定するようにしてもよい。
【００９０】
以上のように構成したので、第３実施形態によれば、表示装置３００を構成する表示装置３０１，３０２，３０３，３０４を、表示装置３００が設置される際の障害物の位置に対応して、第１実施形態における表示装置１の「Ａタイプ」、「Ｂタイプ」、「Ｃタイプ」、「Ｄタイプ」の４パターンを組み合わせて構成することができるので、表示装置３００の設置状態に応じて、表示装置３０１，３０２，３０３，３０４において、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置３００の設置状態に応じて、表示装置３０１，３０２，３０３，３０４における送風ファン１３ａ，１３ｂ，１３ｃ，１３ｄの送風方向を最適な向きに自動的に設定することができる。
このようにして、簡単な構成で送風ファン１３ａ，１３ｂ，１３ｃ，１３ｄの動作を制御することで装置内を効率良く空冷することができる。
【００９１】
（第４実施形態）
次に、本発明の第４実施形態について図面を参照して説明する。
図２５は本発明の第４実施形態に係る表示装置が上下左右に横置きで９台連結されて正常に設置された時の送風ファンの配置の概略構成を示す説明図、図２６は上下左右に横置きで９台連結された表示装置の上側に障害物がある場合の送風ファンの配置の概略構成を示す説明図、図２７は上下左右に横置きで９台連結された表示装置の右側に障害物がある場合の送風ファンの配置の概略構成を示す説明図、図２８は上下左右に横置きで９台連結された表示装置の左側に障害物がある場合の送風ファンの配置の概略構成を示す説明図、図２９は前記表示装置の設置状態に対応して送風ファンの配置パターンを設定するテーブルを示す説明図である。
【００９２】
第４実施形態に係る表示装置４００は、図２５に示すように、横置きにした９台の表示装置４０１〜４０９を上下左右に連結したものである。
【００９３】
なお、第４実施形態の表示装置４００に用いられる表示装置４０１〜４０９の構成は、第１実施形態の表示装置１と同様な構成を備えるものとして、第１実施形態と同一の構成を有するものは同一の符号を付することで説明を省略する。
【００９４】
表示装置が連結される構成では、送風ファンによる排気は、隣接する表示装置に送気されないようにすることが好ましい。また、上段に配置される表示装置は、上方への排気を優先するように構成し、中段および下段に配置される表示装置は、横方向への排気を優先するように構成することが好ましい。
【００９５】
表示装置４００を周囲に何の障害物も無い位置に正常に配置した場合は、図２５に示すように、上部に配置される表示装置４０１，４０２，４０３は、表示装置１のＡタイプと同様に構成される。
【００９６】
そして、その下側に配置される表示装置のうち表示装置４０４は、表示装置１のＣタイプと同様に構成され、表示装置４０５は、表示装置１のＢタイプと同様に構成され、表示装置４０６は、表示装置１のＤタイプと同様に構成される。
【００９７】
そして、さらにその下側に配置される表示装置のうち表示装置４０７は、表示装置１のＣタイプと同様に構成され、表示装置４０８は、表示装置１のＢタイプと同様に構成され、表示装置４０９は表示装置１のＤタイプと同様に構成される。
【００９８】
次に、表示装置４００の上側に障害物がある場合は、図２６に示すように、上部に配置される表示装置のうち表示装置４０１は、表示装置１のＣタイプと同様に構成され、表示装置４０２は、表示装置１のＢタイプと同様に構成され、表示装置４０３は、表示装置１のＤタイプと同様に構成されている。
【００９９】
そして、その下側に配置される表示装置のうち表示装置４０４は、表示装置１のＣタイプと同様に構成され、表示装置４０５は、表示装置１でＢタイプと同様に構成され、表示装置４０６は、表示装置１でＤタイプと同様に構成される。
【０１００】
そして、さらにその下側に配置される表示装置のうち表示装置４０７は、表示装置１のＣタイプと同様に構成され、表示装置４０８は、表示装置１のＢタイプと同様に構成され、表示装置４０９は、表示装置１のＤタイプと同様に構成される。
【０１０１】
次に、表示装置４００の右側に障害物がある場合は、図２７に示すように、上部に配置される表示装置４０１，４０２，４０３は、表示装置１のＡタイプと同様に構成される。
【０１０２】
そして、その下側に配置される表示装置４０４，４０５，４０６は、表示装置１のＣタイプと同様に構成される。そして、さらにその下側に配置される表示装置４０７，４０８，４０９は、表示装置１のＣタイプと同様に構成される。
【０１０３】
次に、表示装置４００の左側に障害物がある場合は、図２８に示すように、上部に配置される表示装置４０１，４０２，４０３は、表示装置１のＡタイプと同様に構成される。
【０１０４】
そして、その下側に配置される表示装置４０４，４０５，４０６は、表示装置１のＤタイプと同様に構成される。そして、さらにその下側に配置される表示装置４０７，４０８，４０９は、表示装置１のＤタイプと同様に構成される。
【０１０５】
このように、第４実施形態の表示装置４００を構成する表示装置４０１〜４０９は、障害物の位置に対応して、第１実施形態における表示装置１の「Ａタイプ」、「Ｂタイプ」、「Ｃタイプ」、「Ｄタイプ」の４パターンの中から送風ファン１３ａ，１３ｂ，１３ｃ，１３ｄの最適な配置パターンが特定される。
【０１０６】
すなわち、表示装置４０１〜４０９においては、制御部１８の風向設定機能１８１により、設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【０１０７】
風向設定機能１８１として、表示装置４０１〜４０９の設置状態に応じた送風ファン１３ａ，１３ｂ，１３ｃ，１３ｄの配置パターンを、図２９に示すテーブルを用いて特定するようにしてもよい。
【０１０８】
以上のように構成したので、第４実施形態によれば、表示装置４００を構成する表示装置４０１〜４０９を、表示装置４００が設置される際の障害物の位置に対応して、第１実施形態における表示装置１の「Ａタイプ」、「Ｂタイプ」、「Ｃタイプ」、「Ｄタイプ」の４パターンを組み合わせて構成することができるので、表示装置４００の設置状態に応じて、表示装置４０１〜４０９において、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置４００の設置状態に応じて、表示装置４０１〜４０９における送風ファン１３ａ，１３ｂ，１３ｃ，１３ｄの送風方向を最適な向きに自動的に設定することができる。
このようにして、簡単な構成で送風ファン１３ａ，１３ｂ，１３ｃ，１３ｄの動作を制御することで装置内を効率良く空冷することができる。
【０１０９】
（第５実施形態）
次に、本発明の第５実施形態について図面を参照して説明する。
第５実施形態は、第１実施形態の表示装置１と同様に構成された表示装置を縦置きに使用したものである。
図３０は本発明の第５実施形態に係る表示装置が縦置きで正常に設置された時の送風ファンの配置の概略構成を示す説明図、図３１は前記表示装置の上側に障害物がある場合の送風ファンの配置の概略構成を示す説明図、図３２は前記表示装置の右側に障害物がある場合の送風ファンの配置の概略構成を示す説明図、図３３は表示装置の左側に障害物がある場合の送風ファンの配置の概略構成を示す説明図、図３４は前記表示装置の設置状態に対応して送風ファンの配置パターンを設定するテーブルを示す説明図である。
【０１１０】
以下に、第５実施形態の表示装置５００において、表示装置を縦置きに使用して、複数の送風ファンの風向を設定する場合の送風ファンの配置の基本的パターンの例を示す。
【０１１１】
なお、第５実施形態の表示装置５００の構成は、第１実施形態の表示装置１と同様な構成を備えるものとして、第１実施形態と同一の構成を有するものは同一の符号を付することで説明を省略する。
【０１１２】
表示装置５００において、縦置きに配置した場合は、複数の送風ファン１３ａ，１３ｂ，１３ｃ，１３ｄは、図３０に示すように、筐体１２の左側寄りに上下方向に沿って所定の間隔で並設されている。
【０１１３】
表示装置５００を周囲に何の障害物も無い位置に正常に配置した場合は、送風ファン１３ａ，１３ｂ，１３ｃ，１３ｄは、送風方向が左側になる向きに設置される。
図３０に示す送風ファンの配置パターンを「Ａタイプ」と称し、図中には（Ａ）と付するものとする。
【０１１４】
次に、表示装置５００の上側に障害物がある場合は、図３１に示すように、通常の送風ファンの配置パターンであっても、上側の影響が少ないため、送風ファン１３ａ，１３ｂ，１３ｃ，１３ｄは、送風方向が左側になる「Ａタイプ」で設置される。
【０１１５】
次に、表示装置５００の右側に障害物がある場合は、図３２に示すように、通常の送風ファンの配置パターンと同様に、送風ファン１３ａ，１３ｂ，１３ｃ，１３ｄは、送風方向が左側になる向きに設置される。
【０１１６】
次に、表示装置５００の左側に障害物がある場合は、図３３に示すように、下側寄りの送風ファン１３ａは送風方向が左側になる向きに配置され、その他の送風ファン１３ｂ，１３ｃ，１３ｄは送風方向が上側になる向きに配置される。
図３３に示す送風ファンの配置パターンを「Ｄタイプ」と称し、図中には（Ｄ）と付するものとする。
【０１１７】
このように、第５実施形態では、表示装置５００を縦置きに配置した場合の送風ファン１３ａ，１３ｂ，１３ｃの配置パターンは、障害物の位置に対応して「Ａタイプ」、「Ｄタイプ」の２パターンに設定されている。
【０１１８】
表示装置５００においては、第１実施形態と同様に、制御部１８の風向設定機能１８１により、設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【０１１９】
風向設定機能１８１として、表示装置５００の設置状態に応じた送風ファン１３ａ，１３ｂ，１３ｃ，１３ｄの配置パターンを、図３４に示すテーブルを用いて特定するようにしてもよい。
【０１２０】
制御部１８において、風向設定機能１８１によって送風ファン１３ａ，１３ｂ，１３ｃ，１３ｄは、配置パターンに応じてそれぞれ送風方向が設定される。
【０１２１】
そして、送風ファン１３ａ，１３ｂ，１３ｃ，１３ｄは、風向設定機能１８１で設定された結果に基づいて風向切換機能１８２により所定方向に向くように制御される。
【０１２２】
そして、送風ファン１３ａ，１３ｂ，１３ｃ，１３ｄは、それぞれ送風ファン設置位置変更部１５により所定方向に向けて設置される。
【０１２３】
以上のように構成したので、第５実施形態によれば、表示装置５００を単体で縦置きで設置する場合は、表示装置５００の設置状態に応じて、送風ファンの設置パターンを「Ａタイプ」、「Ｄタイプ」の２パターンより設定して、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置５００の設置状態に応じて、自動的に送風ファン１３ａ，１３ｂ，１３ｃ，１３ｄの送風方向を最適な向きに設定することができる。
このようにして、簡単な構成で送風ファン１３ａ，１３ｂ，１３ｃ，１３ｄの動作を制御することで装置内を効率良く空冷することができる。
【０１２４】
（第６実施形態）
次に、本発明の第６実施形態について図面を参照して説明する。
図３５は本発明の第６実施形態に係る表示装置が縦置きで横並びに２台連結されて正常に設置された時の送風ファンの配置の概略構成を示す説明図、図３６は縦置きで横並びに２台連結された表示装置の上側に障害物がある場合の送風ファンの配置の概略構成を示す説明図、図３７は縦置きで横並びに２台連結された表示装置の右側に障害物がある場合の送風ファンの配置の概略構成を示す説明図、図３８は縦置きで横並びに２台連結された表示装置の左側に障害物がある場合の送風ファンの配置の概略構成を示す説明図、図３９は前記表示装置の設置状態に対応して送風ファンの配置パターンを設定するテーブルを示す説明図である。
【０１２５】
第６実施形態に係る表示装置６００は、図３５に示すように、縦置きにした２台の表示装置６０１，６０２を横並びに連結したものである。
【０１２６】
なお、第６実施形態の表示装置６００に用いられる表示装置６０１，６０２の構成は、第５実施形態の表示装置５００と同様な構成を備えるものとして、第５実施形態と同一の構成を有するものは同一の符号を付することで説明を省略する。
【０１２７】
表示装置が連結される構成では、送風ファンによる排気は、隣接する表示装置に送気されないようにすることが好ましい。また、左側に配置される表示装置は、左方向への排気を優先するように構成し、右側に配置される表示装置は、上方への排気を優先するように構成することが好ましい。
【０１２８】
表示装置６００を周囲に何の障害物も無い位置に正常に配置した場合は、図３５に示すように、図中左側に配置される表示装置６０１は、表示装置５００のＡタイプと同様に構成される。また、図中右側に配置される表示装置６０２は、表示装置５００のＤタイプと同様に構成される。
【０１２９】
次に、表示装置６００の上側に障害物がある場合は、図３６に示すように、横並びに連結された表示装置６０１,６０２は、ともに表示装置５００のＡタイプと同様に構成される。
【０１３０】
次に、表示装置６００の右側に障害物がある場合は、図３７に示すように、図中左側に配置される表示装置６０１は、表示装置５００のＡタイプと同様に構成される。また、図中右側に配置される表示装置６０２は、表示装置５００のＤタイプと同様に構成される。
【０１３１】
次に、表示装置６００の左側に障害物がある場合は、図３８に示すように、横並びに連結された表示装置６０１，６０２は、ともに表示装置５００のＤタイプと同様に構成される。
【０１３２】
このように、第６実施形態の表示装置６００を構成する表示装置６０１，６０２は、障害物の位置に対応して、第５実施形態における表示装置５００の「Ａタイプ」、「Ｄタイプ」の２パターンの中から送風ファン１３ａ，１３ｂ，１３ｃ，１３ｄの最適な配置パターンが特定される。
【０１３３】
すなわち、表示装置６０１，６０２においては、制御部１８の風向設定機能１８１により、それぞれの設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【０１３４】
風向設定機能１８１として、表示装置６０１，６０２の設置状態に応じた送風ファン１３ａ，１３ｂ，１３ｃ，１３ｄの配置パターンを、図３９に示すテーブルを用いて特定するようにしてもよい。
【０１３５】
以上のように構成したので、第６実施形態によれば、表示装置６００を構成する表示装置６０１，６０２を、表示装置６００が設置される際の障害物の位置に対応して、第５実施形態における表示装置５００の「Ａタイプ」、「Ｄタイプ」の２パターンを組み合わせて構成することができるので、表示装置６００の設置状態に応じて、表示装置６０１，６０２において、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置６００の設置状態に応じて、表示装置６０１，６０２における送風ファン１３ａ，１３ｂ，１３ｃ，１３ｄの送風方向を最適な向きに自動的に設定することができる。
このようにして、簡単な構成で送風ファン１３ａ，１３ｂ，１３ｃ，１３ｄの動作を制御することで装置内を効率良く空冷することができる。
【０１３６】
（第７実施形態）
次に、本発明の第７実施形態について図面を参照して説明する。
図４０は本発明の第７実施形態に係る表示装置が上下左右に縦置きで４台連結されて正常に設置された時の送風ファンの配置の概略構成を示す説明図、図４１は上下左右に縦置きで４台連結された表示装置の上側に障害物がある場合の送風ファンの配置の概略構成を示す説明図、図４２は上下左右に縦置きで４台連結された表示装置の右側に障害物がある場合の送風ファンの配置の概略構成を示す説明図、図４３は上下左右に縦置きで４台連結された表示装置の左側に障害物がある場合の送風ファンの配置の概略構成を示す説明図、図４４は前記表示装置の設置状態に対応して送風ファンの配置パターンを設定するテーブルを示す説明図である。
【０１３７】
第７実施形態に係る表示装置７００は、図４０に示すように、縦置きにした４台の表示装置７０１，７０２，７０３，７０４を上下左右に連結したものである。
【０１３８】
なお、第７実施形態の表示装置７００に用いられる表示装置７０１，７０２，７０３，７０４の構成は、第５実施形態の表示装置５００と同様な構成を備えるものとして、第５実施形態と同一の構成を有するものは同一の符号を付することで説明を省略する。
【０１３９】
表示装置が連結される構成では、送風ファンによる排気は、隣接する表示装置に送気されないようにすることが好ましい。また、左側に配置される表示装置は、左方向への排気を優先するように構成し、右側に配置される表示装置は、上方への排気を優先するように構成することが好ましい。
【０１４０】
表示装置７００を周囲に何の障害物も無い位置に正常に配置した場合は、図４０に示すように、左側に配置される表示装置７０１，７０３は、表示装置５００のＡタイプと同様に構成される。また、右側に配置される表示装置７０２，７０４は、表示装置５００のＤタイプと同様に構成される。
【０１４１】
次に、表示装置７００の上側に障害物がある場合は、図４１に示すように、表示装置７０１，７０２，７０３，７０４は、全て表示装置５００のＡタイプと同様に構成される。
【０１４２】
次に、表示装置７００の右側に障害物がある場合は、図４２に示すように、左側に配置される表示装置７０１，７０３は、表示装置５００のＡタイプと同様に構成される。また、右側に配置される表示装置７０２，７０４は、表示装置５００のＤタイプと同様に構成される。
表示装置７０１，７０２，７０３，７０４は、全て表示装置５００のＤタイプと同様に構成される。
【０１４３】
次に、表示装置７００の左側に障害物がある場合は、図４３に示すように、表示装置７０１，７０２，７０３，７０４は、全て表示装置５００のＤタイプと同様に構成される。
【０１４４】
このように、第７実施形態の表示装置７００を構成する表示装置７０１，７０２，７０３，７０４は、障害物の位置に対応して、第５実施形態における表示装置５００の「Ａタイプ」「Ｄタイプ」の２パターンの中から送風ファン１３ａ，１３ｂ，１３ｃ，１３ｄの最適な配置パターンが特定される。
【０１４５】
すなわち、表示装置７０１，７０２，７０３，７０４においては、制御部１８の風向設定機能１８１により、設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【０１４６】
風向設定機能１８１として、表示装置３０１，３０２，３０３，３０４の設置状態に応じた送風ファン１３ａ，１３ｂ，１３ｃ，１３ｄの配置パターンを、図４４に示すテーブルを用いて特定するようにしてもよい。
【０１４７】
以上のように構成したので、第７実施形態によれば、表示装置７００を構成する表示装置７０１，７０２，７０３，７０４を、表示装置７００が設置される際の障害物の位置に対応して、第５実施形態における表示装置５００の「Ａタイプ」、「Ｄタイプ」の２パターンを組み合わせて構成することができるので、表示装置７００の設置状態に応じて、表示装置７０１，７０２，７０３，７０４において、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置７００の設置状態に応じて、表示装置７０１，７０２，７０３，７０４における送風ファン１３ａ，１３ｂ，１３ｃ，１３ｄの送風方向を最適な向きに自動的に設定することができる。
このようにして、簡単な構成で送風ファン１３ａ，１３ｂ，１３ｃ，１３ｄの動作を制御することで装置内を効率良く空冷することができる。
【０１４８】
（第８実施形態）
次に、本発明の第８実施形態について図面を参照して説明する。
図４５は本発明の第８実施形態に係る表示装置が上下左右に縦置きで９台連結されて正常に設置された時の送風ファンの配置の概略構成を示す説明図、図４６は上下左右に縦置きで９台連結された表示装置の上側に障害物がある場合の送風ファンの配置の概略構成を示す説明図、図４７は上下左右に縦置きで９台連結された表示装置の右側に障害物がある場合の送風ファンの配置の概略構成を示す説明図、図４８は上下左右に縦置きで９台連結された表示装置の左側に障害物がある場合の送風ファンの配置の概略構成を示す説明図、図４９は前記表示装置の設置状態に対応して送風ファンの配置パターンを設定するテーブルを示す説明図である。
【０１４９】
第８実施形態に係る表示装置８００は、図４５に示すように、縦置きにした９台の表示装置８０１〜８０９を上下左右に連結したものである。
【０１５０】
なお、第８実施形態の表示装置８００に用いられる表示装置８０１〜８０９の構成は、第５実施形態の表示装置５００と同様な構成を備えるものとして、第５実施形態と同一の構成を有するものは同一の符号を付することで説明を省略する。
【０１５１】
表示装置が連結される構成では、送風ファンによる排気は、隣接する表示装置に送気されないようにすることが好ましい。また、左側に配置される表示装置は、上方への排気を優先するように構成し、中側および右側に配置される表示装置は、上方への排気を優先するように構成することが好ましい。
【０１５２】
表示装置８００を周囲に何の障害物も無い位置に正常に配置した場合は、図４５に示すように、左側に配置される表示装置８０１，８０４，８０７は、表示装置５００のＡタイプと同様に構成される。
【０１５３】
そして、中側に配置される表示装置８０２，８０５，８０８は、表示装置５００のＤタイプと同様に構成される。
【０１５４】
そして、右側に配置される表示装置８０３，８０６，８０９は、表示装置５００のＤタイプと同様に構成される。
【０１５５】
次に、表示装置８００の上側に障害物がある場合は、図４６に示すように、表示装置８０１〜８０９は、全て表示装置５００のＡタイプと同様に構成される。
【０１５６】
次に、表示装置８００の右側に障害物がある場合は、図４７に示すように、左側に配置される表示装置８０１，８０４，８０７は、表示装置５００のＡタイプと同様に構成される。
【０１５７】
そして、中側に配置される表示装置８０２，８０５，８０８、および、右側に配置される表示装置８０３，８０６，８０９は、表示装置５００のＤタイプと同様に構成される。
【０１５８】
次に、表示装置８００の左側に障害物がある場合は、図４８に示すように、表示装置８０１〜８０９は、全て表示装置５００のＤタイプと同様に構成される。
【０１５９】
このように、第８実施形態の表示装置８００を構成する表示装置８０１〜８０９は、障害物の位置に対応して、第５実施形態における表示装置５００の「Ａタイプ」、「Ｄタイプ」の２パターンの中から送風ファン１３ａ，１３ｂ，１３ｃ，１３ｄの最適な配置パターンが特定される。
【０１６０】
すなわち、表示装置８０１〜８０９においては、制御部１８の風向設定機能１８１により、設置状態に応じて送風ファン１３ａ，１３ｂ，１３ｃ，１３ｄの配置パターンが特定される。そして、送風ファンの設置パターンに応じて、送風ファン１３ａ，１３ｂ，１３ｃ，１３ｄが自動的に所定の方向に向くように制御される。
【０１６１】
風向設定機能１８１として、表示装置８０１〜８０９の設置状態に応じた送風ファン１３ａ，１３ｂ，１３ｃ，１３ｄの配置パターンを、図４９に示すテーブルを用いて特定するようにしてもよい。
【０１６２】
以上のように構成したので、第８実施形態によれば、表示装置８００を構成する表示装置８０１〜８０９を、表示装置８００が設置される際の障害物の位置に対応して、第５実施形態における表示装置５００の「Ａタイプ」、「Ｄタイプ」の２パターンを組み合わせて構成することができるので、表示装置８００の設置状態に応じて、表示装置８０１〜８０９において、風向設定機能１８１により送風ファン１３ａ，１３ｂ，１３ｃ，１３ｄの送風方向を設定して、風向切換機能１８２により、風向設定機能１８１により設定された結果に基づいて送風ファン設置位置変更部１５により送風ファン１３ａ，１３ｂ，１３ｃ，１３ｄの設置向きを変更して送風方向を切換えることができる。これにより、表示装置８００の設置状態に応じて、表示装置８０１〜８０９における送風ファン１３ａ，１３ｂ，１３ｃ，１３ｄの送風方向を最適な向きに自動的に設定することができる。
このようにして、簡単な構成で送風ファン１３ａ，１３ｂ，１３ｃ，１３ｄの動作を制御することで装置内を効率良く空冷することができる。
【０１６３】
また、上述した実施形態では、送風ファン設置位置変更部１５を構成する回転板１５１を手動によっても回転可能に構成したので、例えば、送風ファンの排気部に障害物が生じたり、人物がいる方向に排気を向けたくない場合等に、設置環境に合わせて送風ファンの向きを切換えることができる。
【０１６４】
また、表示装置の制御部１８の機能として、駆動ファン運転制御機能１８３を備えることで、例えば、送風ファンの向きを変更することで送風効率が低下したり、停止した送風ファンがある場合は、駆動可能な送風ファンの回転数を上げるように制御して排気効率の低下を補うことができる。
【０１６５】
また、制御部１８の機能として、特定ファン停止機能１８４を備えることで、例えば、送風ファンの向きを検知して、吸気方向に向いた送風ファンを検出した場合に、その送風ファンの運転を停止させることで、排気効率が低下することを防止できる。
【０１６６】
（実施例１）
以下に、特定ファン機能１８４による特定の送風ファンの運転を停止する例を示す。
図５０の（ａ）は本発明に係る表示装置における送風ファンの運転を制御する一例を示す説明図、（ｂ）は対向する送風ファンの運転を停止した状態を示す説明図、（ｃ）は対向する送風ファンの一方を停止した状態を示す説明図である。
【０１６７】
例えば、図５０（ａ）に示すように、隣り合う表示装置１００ａ，１００ｂにおいて、隣接する送風ファン１１３ａ，１１３ｂが対向して配置され、吸気に作用するように運転する場合は、図５０（ｂ）に示すように、送風ファン１１３ａ，１１３ｂの運転を停止して積極的な吸気を停止したり、図５０（ｃ）に示すように、片方の送風ファン１１３ａのみを停止して排気効率の低下を抑制することができる。
【０１６８】
さらに、制御部１８の機能として、ファン停止報知機能１８５を備えることで、表示装置に備わる表示部１１に、特定の送風ファンが停止した旨のメッセージを表示して使用者に注意を促すことができる。
【０１６９】
なお、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１７０】
１，１００ａ，１００ｂ，２００，３００，
４００，５００，６００，７００，８００  表示装置
１１  表示部
１３，１３ａ，１３ｂ，１３ｃ，１３ｄ，１１３ａ，１１３ｂ  送風ファン
１５  送風ファン設置位置変更部
１６ａ，１６ｂ  回転位置検知センサ
１８  制御部
１５１  回転板
１５２  駆動モータ
１５３  送風ファン設置方向指示部
１８１  風向設定機能
１８２  風向切換機能
１８３  駆動ファン運転制御機能
１８４  特定ファン停止機能
１８４  特定ファン機能
１８５  ファン停止報知機能
【図１】
2015138461.tif 000003
【図２】
2015138461.tif 000004
【図３】
2015138461.tif 000005
【図４】
2015138461.tif 000006
【図５】
2015138461.tif 000007
【図６】
2015138461.tif 000008
【図７】
2015138461.tif 000009
【図８】
2015138461.tif 000010
【図９】
2015138461.tif 000011
【図１０】
2015138461.tif 000012
【図１１】
2015138461.tif 000013
【図１２】
2015138461.tif 000014
【図１３】
2015138461.tif 000015
【図１４】
2015138461.tif 000016
【図１５】
2015138461.tif 000017
【図１６】
2015138461.tif 000018
【図１７】
2015138461.tif 000019
【図１８】
2015138461.tif 000020
【図１９】
2015138461.tif 000021
【図２０】
2015138461.tif 000022
【図２１】
2015138461.tif 000023
【図２２】
2015138461.tif 000024
【図２３】
2015138461.tif 000025
【図２４】
2015138461.tif 000026
【図２５】
2015138461.tif 000027
【図２６】
2015138461.tif 000028
【図２７】
2015138461.tif 000029
【図２８】
2015138461.tif 000030
【図２９】
2015138461.tif 000031
【図３０】
2015138461.tif 000032
【図３１】
2015138461.tif 000033
【図３２】
2015138461.tif 000034
【図３３】
2015138461.tif 000035
【図３４】
2015138461.tif 000036
【図３５】
2015138461.tif 000037
【図３６】
2015138461.tif 000038
【図３７】
2015138461.tif 000039
【図３８】
2015138461.tif 000040
【図３９】
2015138461.tif 000041
【図４０】
2015138461.tif 000042
【図４１】
2015138461.tif 000043
【図４２】
2015138461.tif 000044
【図４３】
2015138461.tif 000045
【図４４】
2015138461.tif 000046
【図４５】
2015138461.tif 000047
【図４６】
2015138461.tif 000048
【図４７】
2015138461.tif 000049
【図４８】
2015138461.tif 000050
【図４９】
2015138461.tif 000051
【図５０】
2015138461.tif 000052